(57)【要約】【課題】本発明は、撮像ユニットを大きくした場合であっても、筐体の幅を小型化することが可能なデジタルカメラを提供する。【解決手段】本発明は、撮像ユニット及び画像表示装置を光軸に沿う方向に重ねて配置し、かつ撮像ユニットの左側（把持部側）に制御ユニットを配置し、画像表示装置の撮像ユニットよりも左側に張り出した張り出し部と、制御ユニットとの間にコンデンサユニットを配置したことを特徴とする。【選択図】図４
2010193390.tif 000002
【特許請求の範囲】
【請求項１】
撮像レンズ及び撮像素子を用いて光学像を電子的な画像データとして記録し得るように構成されたデジタルカメラであって、
筐体と、
前記撮像レンズの光軸を前記筐体の正面に垂直に立てて保持し、前記撮像レンズの光軸に沿って伸縮可能なレンズ鏡筒と、
前記レンズ鏡筒及び前記撮像素子を具備する撮像ユニットと、
前記筐体の背面において、前記撮像ユニットに対し前記光軸に沿う方向に重なるように配置された画像表示装置と、
電源電池を保持する電池保持部と、
デジタルカメラの動作を制御する電気回路が形成された電気基板と、
前記光軸に沿って前側に光を照射するストロボ発光部と、
ストロボ用コンデンサを具備するコンデンサユニットと、
操作指示を入力するための操作部材を具備する操作ユニットと、
を具備し、
前記撮像ユニットは、前記筐体を正面から見て前記筐体の右側に配置され、
前記画像表示装置は、前記撮像ユニットよりも左右方向に大きく、かつ前記筐体を正面から見て前記撮像ユニットよりも左側に張り出す張り出し部を有するように配置され、
前記電池保持部は、前記筐体を正面から見て前記撮像ユニットの左側であって、かつ前記筐体の前側に配置され、
前記電気基板は、前記電池保持部の後側に配置され、
前記ストロボ発光部は、前記電池保持部の上側において前記筐体の正面に露出するように配置され、
前記コンデンサユニットは、前記電気基板の後側であって、かつ前記画像表示装置の張り出し部の前側に配置され、
前記操作ユニットは、前記操作部材が前記筐体の背面に露出し、かつ前記筐体を正面から見て前記コンデンサユニットの左側に配置される
ことを特徴とするデジタルカメラ。
【請求項２】
前記ストロボ用コンデンサは、前記筐体の上下方向に延在する柱状の形状を有し、
前記コンデンサユニットは、前記ストロボコンデンサを２つ前記筐体の左右方向に配列してなることを特徴とする請求項１に記載のデジタルカメラ。
【発明の詳細な説明】
【技術分野】
【０００１】
本発明は、ストロボ発光部を具備し、撮像ユニットと画像表示装置とが光軸に沿う方向に重なるように配置されたデジタルカメラに関する。
【背景技術】
【０００２】
撮像レンズ及び撮像素子を用いて光学像を電子的な画像データとして撮影し記録し得るように構成されたデジタルカメラが知られている。図８のデジタルカメラの横断面図に示すように、デジタルカメラ１００の筐体１０１の外形寸法を決定する主な構成要素は、撮像ユニット１０２、画像表示装置１０３、電源電池１０６、記録媒体１０７、電気基板１０８、操作部材１０９及びストロボ用コンデンサ１１０である。ここで、撮像ユニット１０２は、撮像レンズを保持するレンズ鏡筒及び撮像素子を具備して構成されている。
【０００３】
図８に示すような従来のデジタルカメラ１００では、撮像ユニット１０２の後側に画像表示装置１０３を配設し、この撮像ユニット１０２と画像表示装置１０３の側方である把持部側（図８のような右手で把持することを想定したデジタルカメラの場合、デジタルカメラの正面に向かって左側）に、電源電池１０６、記録媒体１０７、電気基板１０８及び操作部材１０９を配置する構成がよく用いられる。この構成の場合、ストロボ用コンデンサ１１０は、例えば図８に示すように、把持部とは反対側に配設される。このような構成は、特開２００８−４０３８８号公報に開示されている。また、特開２００８−１３９４６０号公報に開示されているように、ストロボ用コンデンサを筐体の把持部側を前側に突出させたグリップの内部に配設する構成も知られている。
【先行技術文献】
【特許文献】
【０００４】
【特許文献１】特開２００８−４０３８８号公報
【特許文献２】特開２００８−１３９４６０号公報
【発明の概要】
【発明が解決しようとする課題】
【０００５】
撮像レンズをズームレンズとし、さらにズーム倍率を上げようとする場合、撮像ユニットは前後方向だけでなく上下方向及び左右方向にも大型化してしまい、筐体の体積に占める撮像ユニットの比率が大きくなる。
【０００６】
例えば、図８に示すようにストロボ用コンデンサ１１０を、把持部とは反対側に配設したデジタルカメラ１００において、撮像ユニット１０２が大型化すると、デジタルカメラ１００は、前後方向の厚さが増すだけでなく上下方向の高さ及び左右方向の幅も増してしまい、デジタルカメラ１００の外形寸法が全て大きくなってしまう。
【０００７】
ここで、デジタルカメラ１００の前後方向の厚さは、撮像ユニット１０２と画像表示装置１０３の厚さの合計によって主に決定され、デジタルカメラ１００の上下方向の高さは、撮像ユニット１０２の高さによって主に決定される。すなわち、デジタルカメラ１００の外形寸法のうち、厚さ及び高さは、撮像ユニット１０２の大きさの変化によって大きく影響されるものである。すなわち、従来のデジタルカメラ１００のような構成要素の配置では、筐体１０１の体積に占める撮像ユニット１０２の比率が大きくなると、デジタルカメラ１００の厚さ及び高さが大きくなってしまうことを避けるのは困難である。
【０００８】
したがって、筐体の体積に占める撮像ユニットの比率を大きくした場合に、デジタルカメラの左右方向の幅の拡大を抑えることができれば好ましい。
【０００９】
本発明は、上述した点に鑑みてなされたものであって、撮像ユニットを大きくした場合であっても、筐体の幅を小型化することが可能なデジタルカメラを提供することを目的とする。
【課題を解決するための手段】
【００１０】
本発明のデジタルカメラは、撮像レンズ及び撮像素子を用いて光学像を電子的な画像データとして記録し得るように構成されたデジタルカメラであって、筐体と、前記撮像レンズの光軸を前記筐体の正面に垂直に立てて保持し、前記撮像レンズの光軸に沿って伸縮可能なレンズ鏡筒と、前記レンズ鏡筒及び前記撮像素子を具備する撮像ユニットと、前記筐体の背面において、前記撮像ユニットに対し前記光軸に沿う方向に重なるように配置された画像表示装置と、電源電池を保持する電池保持部と、デジタルカメラの動作を制御する電気回路が形成された電気基板と、前記光軸に沿って前側に光を照射するストロボ発光部と、ストロボ用コンデンサを具備するコンデンサユニットと、操作指示を入力するための操作部材を具備する操作ユニットと、を具備し、前記撮像ユニットは、前記筐体を正面から見て前記筐体の右側に配置され、前記画像表示装置は、前記撮像ユニットよりも左右方向に大きく、かつ前記筐体を正面から見て前記撮像ユニットよりも左側に張り出す張り出し部を有するように配置され、前記電池保持部は、前記筐体を正面から見て前記撮像ユニットの左側であって、かつ前記筐体の前側に配置され、前記電気基板は、前記電池保持部の後側に配置され、前記ストロボ発光部は、前記電池保持部の上側において前記筐体の正面に露出するように配置され、前記コンデンサユニットは、前記電気基板の後側であって、かつ前記画像表示装置の張り出し部の前側に配置され、前記操作ユニットは、前記操作部材が前記筐体の背面に露出し、かつ前記筐体を正面から見て前記コンデンサユニットの左側に配置されることを特徴とする。
【発明の効果】
【００１１】
本発明によれば、撮像ユニットを大きくした場合であっても、筐体の幅を小型化することが可能なデジタルカメラを提供することができる。
【図面の簡単な説明】
【００１２】
【図１】デジタルカメラの正面側を示す斜視図である。
【図２】デジタルカメラの背面図である。
【図３】デジタルカメラの底面図である。
【図４】図２のIV-IV断面図である。
【図５】デジタルカメラの分解斜視図である。
【図６】制御ユニットの分解斜視図である。
【図７】前側筐体及び後側筐体に各構成要素を固定した状態を示す図である。
【図８】従来のデジタルカメラにおける構成要素の配置を説明する図である。
【発明を実施するための形態】
【００１３】
以下に、本発明の好ましい形態について図面を参照して説明する。なお、以下の説明に用いる各図においては、各構成要素を図面上で認識可能な程度の大きさとするため、各構成要素毎に縮尺を異ならせてあるものであり、本発明は、これらの図に記載された構成要素の数量、構成要素の形状、構成要素の大きさの比率、及び各構成要素の相対的な位置関係のみに限定されるものではない。
【００１４】
図１は、デジタルカメラの正面側を示す斜視図である。図２は、デジタルカメラの背面図である。図３は、デジタルカメラの底面図である。図４は、図２のIV-IV断面図である。図５は、デジタルカメラの分解斜視図である。図６は、制御ユニットの分解斜視図である。図７は、前側筐体及び後側筐体に各構成要素を固定した状態を示す図である。
【００１５】
本発明に係るデジタルカメラ１は、撮像レンズ及び撮像素子を用いて光学像を電子的な画像データとして撮影し記録し得るように構成されたものである。なお、以下の説明において、撮像レンズの光軸を符号Ｏで表すものとする。また、光軸Ｏに沿う方向において、被写体側（物体側）を前側とし、結像側（像側）を後側とする。また、デジタルカメラ１を、いわゆる正立状態に構えた状態において、鉛直上方を上側とし、下方を下側とする。さらに、デジタルカメラ１を、いわゆる正立位置に構えた状態（通常の撮影状態であり、いわゆる横位置状態）において、被写体側からカメラの正面を見たときの左側及び右側をデジタルカメラ１の左側及び右側というものとする。
【００１６】
図１に示すように、本実施形態のデジタルカメラ１は、略直方体形状の箱型状の筐体を有する。ここで、本実施形態では、デジタルカメラ１の撮像時に被写体に対向する面をデジタルカメラ１の正面というものとする。また、デジタルカメラ１の使用時に使用者が対面する面、すなわち正面とは反対側の面をデジタルカメラ１の背面というものとする。
【００１７】
また、デジタルカメラ１を、いわゆる正立位置に構えた状態において、上方の面をデジタルカメラ１の上面というものとする。また、そして、デジタルカメラ１の上面に対向する面を底面というものとする。
【００１８】
まず、デジタルカメラ１の概略構成を以下に説明する。  
図１に示すように、デジタルカメラ１の筐体は、前側筐体１０及び後側筐体２０により構成されている。詳しくは後述するが、デジタルカメラ１の各機能を実現するための構成部材は、この筐体内の所定の位置に保持されている。
【００１９】
前側筐体１０は、デジタルカメラ１の正面を主に覆い、さらに左側面、右側面、上面及び底面の一部を覆う形状を有する。また、後側筐体２０は、デジタルカメラ１の背面を主に覆い、さらに左側面、右側面、上面及び底面の一部を覆う形状を有する。
【００２０】
言い換えれば、前側筐体１０及び後側筐体２０は、それぞれ後側（背面側）及び前側（正面側）が開口した略箱形状を有する。そして、前側筐体１０及び後側筐体２０を、開口が対向した状態で組み合わせることにより、デジタルカメラ１の筐体が構成されている。
【００２１】
本実施形態では、一例として前側筐体１０及び後側筐体２０は、デジタルカメラ１の外観を構成する外装部材としての機能を有するものとする。もちろん、デジタルカメラ１が、前側筐体１０及び後側筐体２０の外側の少なくとも一部を覆うような他の外装部材を具備して構成されてもよいことは言うまでもない。
【００２２】
デジタルカメラ１の正面には、撮像レンズを収容したレンズ鏡筒３１及びストロボ発光部４１が配設されている。レンズ鏡筒３１は、光軸Ｏがデジタルカメラ１の正面に対して略直交するように撮像レンズを保持している。
【００２３】
本実施形態では、一例としてレンズ鏡筒３１は、光軸Ｏに沿う方向に伸縮可能であり、デジタルカメラ１の非撮像動作時にはデジタルカメラ１の本体内に収容される、いわゆる沈胴式のレンズ鏡筒である。
【００２４】
レンズ鏡筒３１は、光軸Ｏがデジタルカメラ１の正面の中心部よりも右側に偏るように配置されている。これは、本実施形態のデジタルカメラ１が、人の右手により本体左側が把持されることを想定していることによるものである。言い換えれば、レンズ鏡筒３１は、デジタルカメラ１の正面において、把持部とは反対側に配置されている。また、レンズ鏡筒３１は、詳しくは後述する撮像ユニット３０（図１には不図示）を構成する部材である。
【００２５】
ストロボ発光部４１は、被写体を照明するための閃光を発するものである。ストロボ発光部４１の構成は公知のものであるためその詳細な説明は省略するものとするが、概略的には、発光を行うキセノン管を具備して構成されている。また、ストロボ発光部４１には、キセノン管から出射される光がデジタルカメラ１の前方の所定の角度範囲に所定の強度分布で照射されるように、反射板やレンズ等が適宜に配設される。
【００２６】
ストロボ発光部４１は、デジタルカメラ１の正面の中心部よりも左側であり、かつ上側に配置されている。言い換えれば、ストロボ発光部４１は、デジタルカメラ１の正面において、把持部の略上側に配置されている。ストロボ発光部４１は、詳しくは後述する制御ユニット４０（図１には不図示）を構成する部材である。
【００２７】
また、デジタルカメラ１の上面には、電源スイッチ２、シャッターレリーズスイッチ３及びズームスイッチ４が配設されている。電源スイッチ２、シャッターレリーズスイッチ３及びズームスイッチ４は、デジタルカメラ１を把持した際に指が届きやすいように上面の左側（把持部側）に偏って配置されている。
【００２８】
図２に示すように、デジタルカメラ１の背面には、画像表示装置６０及び操作部材５１が配設されている。
【００２９】
画像表示装置６０は、略矩形状の表示面を有するいわゆるフラットパネルディスプレイであり、例えばカラー表示可能な液晶表示装置又は有機エレクトロルミネッセンス表示装置等からなる。画像表示装置６０は、デジタルカメラ１の撮像動作時には、例えば絞り値やシャッタースピード等の撮影条件、いわゆる電子ファインダやライブビューと称される被写体のリアルタイムの動画像、及び撮像結果等を表示する。また、デジタルカメラ１の再生動作時には、画像表示装置６０は、例えばデジタルカメラ１の本体内の記録媒体に記録されている静止画像や動画像を表示する。
【００３０】
画像表示装置６０は、表示面がデジタルカメラ１の背面に沿うように配設されている。また、画像表示装置６０は、デジタルカメラ１の背面において右側に偏って配置されている。言い換えれば、画像表示装置６０は、デジタルカメラ１の背面において、把持部とは反対側に配置されているのであり、レンズ鏡筒３１の後側に配置されている。
【００３１】
操作部材５１は、使用者がデジタルカメラ１への動作指示を入力するための部材であり、プッシュスイッチ、ダイヤルスイッチ、ボリュームスイッチ、レバースイッチ、感圧スイッチ及びタッチセンサ等により構成される。本実施形態では一例として、操作部材５１は、ダイヤルスイッチ５２及び複数のプッシュスイッチ５３を具備して構成されている。
【００３２】
操作部材５１は、デジタルカメラ１の背面において、画像表示装置６０とは重ならない位置に、上下方向に延在するように配設されている。すなわち、操作部材５１は、デジタルカメラ１の背面において左側（操作部側）に偏って配置されている。操作部材５１は、詳しくは後述する操作ユニット５０（図２には不図示）を構成する部材である。
【００３３】
図２及び図３に示すように、デジタルカメラ１の底面には、蓋部材５が配設されている。蓋部材５は、図示しないヒンジ部及びロック機構により開閉自在に構成されている。蓋部材５は、デジタルカメラ１の内部に設けられた収容室７の開口部を開閉するために配設されている。収容室７は、詳しくは後述するが、電源電池及び記録媒体を収容するための空間部である。蓋部材５は、レバー６を操作することにより、図２の２点鎖線で示すように開放状態とすることができる。
【００３４】
次に、デジタルカメラ１の内部の構成を以下に説明する。  
図４の断面図及び図５の分解斜視図に示すように、デジタルカメラ１の筐体の内部には、撮像ユニット３０、制御ユニット４０、操作ユニット５０、画像表示装置６０及びコンデンサユニット７０が配設されている。
【００３５】
撮像ユニット３０は、上述した撮像レンズ３２及び撮像レンズ３２を保持するレンズ鏡筒３１の他に、レンズ鏡筒３１のズーム動作、合焦動作、沈胴動作等を駆動するための駆動機構部、及び撮像素子３３を具備して構成されている。
【００３６】
撮像ユニット３０の駆動機構部は、１つ又は複数の電動モータを具備してなり、減速機構やカム機構等によりレンズ鏡筒３１の繰り出し動作や撮像レンズ３２の少なくとも一部の移動を可能とする。例えば本実施形態では、駆動機構部はレンズ鏡筒３１のズーム動作の動力となるズーム用モータ３４を具備してなる。ズーム用モータ３４は、撮像ユニット３０の右側、すなわちレンズ鏡筒３１の右側方に配置されている。
【００３７】
また、撮像素子３４は、例えばＣＣＤ（Ｃｈａｒｇｅ  Ｃｏｕｐｌｅｄ  Ｄｅｖｉｃｅ；電荷結合素子）センサや、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ；相補型金属酸化膜半導体）センサ等と称される、光電変換素子を具備して構成されている。
【００３８】
なお、図示しないが、撮像ユニット３０には、絞り機構、シャッタ機構、ＮＤフィルタやローパスフィルタ等の光学フィルタ等が適宜に配設される。また、撮像ユニット３０は、像ブレ補正を行うために撮像素子３４をシフト移動させる像ブレ補正機構等を具備するものであってもよい。
【００３９】
撮像ユニット３０は、上述したように、光軸Ｏがデジタルカメラ１の正面に対して略直交し、かつ光軸Ｏがデジタルカメラ１の正面の中心部よりも右側に偏るように、筐体内に配置されている。撮像ユニット３０は、レンズ鏡筒３１が前側筐体１０に設けられた貫通孔１０ａから前側に突出可能なように、前側筐体１０の右側に位置決めされた状態で固定される。
【００４０】
制御ユニット４０は、デジタルカメラ１の筐体内において、撮像ユニット３０の左側に配設されている。また、制御ユニット４０は、図４に示すように、前後方向に薄い扁平な形状を有し、デジタルカメラ１の筐体内の前側に偏って配設されている。
【００４１】
制御ユニット４０は、図６に示すように、上述したストロボ発光部４１、電池保持部４２、記録媒体保持部４３及び電気基板４４を具備して構成されている。ストロボ発光部４１は、制御ユニット４０の前側の最も上側に配設されている。
【００４２】
ストロボ発光部４１の下側には、電池保持部４２が配設されている。電池保持部４２は、デジタルカメラ１の底面に設けられた収容室７の開口部から挿入される電源電池を、収容室７内において所定の位置に保持するように構成されている。
【００４３】
ストロボ発光部４１及び電池保持部４２の後側には、電気基板４４が配設されている。電気基板４４は、デジタルカメラ１の動作の制御を実行するための電気回路が形成された両面実装の基板である。電気基板４４は、例えば、デジタルカメラ１全体を制御するメインコントロール回路、撮像素子３３からの映像信号を処理する画像処理回路、ストロボ発光部４１の発光を制御する発光制御回路、画像表示装置６０の表示を制御する表示制御回路、入出力回路、時計回路、電源回路等を具備して構成されている。
【００４４】
電気基板４４の前側の面には、電気基板４４と電源電池とを電気的に接続するための電池接点４４ａが配設されている。電池保持部４２には、電池接点４４ａが電池保持部４２内に突出するように貫通孔４２ａが設けられている。
【００４５】
また、電気基板４４の前側の面の下側には、記録媒体収容部４３が配設されている。記録媒体収容部４３は、記録媒体を収容室７内において所定の位置に保持するとともに、電気基板４４と記録媒体とを電気的に接続するように構成されている。記録媒体収容部４３は、記録媒体を挿入するための開口が、収容室７内において下側を向くように、電気基板４４の前側の面に実装されている。
【００４６】
以上に説明した制御ユニット４０では、デジタルカメラ１の前側から後側に向かって順番に、電池保持部４２、記録媒体保持部４３、電気基板４４が配置されており、電池保持部４２の上側に、ストロボ発光部４１が配置されている。制御ユニット４０は、図５に示すように組み立てられた状態で、ストロボ発光部４１が前側筐体１０に設けられた貫通孔１０ｂから前側に露出するように、前側筐体１０の左側に固定される。
【００４７】
画像表示装置６０は、図５に示すように、後側筐体２０に固定される。画像表示装置６０は、デジタルカメラ１の背面に露出するように撮像ユニット３０の後側に配設される。図４に示すように、画像表示装置６０は、撮像ユニット３０よりも左右方向に大きく、デジタルカメラ１を正面から見た場合に、撮像ユニット３０よりも左側に一部が張り出す張り出し部６０ａを有するように配置されている。
【００４８】
コンデンサユニット７０は、ストロボ発光部４１の発光に用いる電荷を保持するためのストロボ用コンデンサ７１を具備して構成されている。ストロボ用コンデンサ７１は、デジタルカメラ１の筐体内において上下方向に延在する略柱状の形状を有する。本実施形態では、コンデンサユニット７０は、２つのストロボ用コンデンサ７１が、デジタルカメラ１の左右方向に配列されて構成されている。
【００４９】
コンデンサユニット７０は、図４に示すように、撮像装置３０の左側に配設された制御ユニット４０と、画像表示装置６０の撮像ユニット３０よりも左側に張り出した張り出し部６０ａと、の間の領域に配設されている。
【００５０】
操作ユニット５０は、上述した操作部材５１と、操作部材５１を支持する基板とを具備してなる。操作ユニット５０は、図４に示すように、制御ユニット４０の後側であって、かつデジタルカメラ１を正面から見た場合に、画像表示装置６０及びコンデンサユニット７０に重ならない領域に配設されている。すなわち、操作ユニット５０は、画像表示装置６０及びコンデンサユニット７０の左側に配置される。操作ユニット５０は、後側筐体２０に固定される。
【００５１】
以上に説明したように、本実施形態のデジタルカメラ１は、撮像ユニット３０及び画像表示装置６０が光軸Ｏに沿う方向に重なって配置され、かつ撮像ユニット３０の左側（把持部側）に制御ユニット４０及び操作ユニット５０が配置される構成を有する。そして、本実施形態のデジタルカメラ１は、画像表示装置６０の撮像ユニット３０よりも左側に張り出した張り出し部６０ａと、制御ユニット４０との間にコンデンサユニット７０を配置することにより、筐体の左側（把持部側）にコンデンサユニット７０を配置可能としたことを特徴とする。
【００５２】
このような構成によれば、デジタルカメラ１を構成する主な要素のうちの、制御ユニット４０、メインコンデンサ７０及び操作ユニット５０を、筐体の左側（把持部側）に集中して配置することができる。
【００５３】
したがって、図８に示す従来のデジタルカメラ１００のようにストロボ用コンデンサ１１０を右側（把持部とは反対側）に配設する場合に比して、筐体の左右方向の幅を小型化することが可能となる。
【００５４】
また、本実施形態の一対のストロボ用コンデンサ７１を、同等の静電容量を有する１個のストロボ用コンデンサにより代替えようとすると、その直径は本実施形態のストロボ用コンデンサ７１の１個の直径よりも大きくなり、デジタルカメラ１の筐体の前後方向の厚さが増してしまう。本実施形態では、複数のストロボ用コンデンサ７１を左右方向に配列することにより、デジタルカメラ１の筐体の前後方向の厚さ、特に撮像ユニット３０よりも左側となる筐体の厚さを減らすことを可能としている。
【００５５】
なお、撮像ユニット３０が沈胴式のレンズ鏡筒３１を有する場合、撮像ユニット３０と画像表示装置６０の厚さの合計は、制御ユニット４０とコンデンサユニット７０と画像表示装置６０の厚さの合計よりも大きいことから、コンデンサユニット７０を左側に配置したとしても、このことにより筐体の前後方向の厚さが増してしまうことはない。
【００５６】
また、本実施形態では、操作ユニット５０を、デジタルカメラ１を正面から見た場合にコンデンサユニット７０に重ならないように配置していることから、コンデンサユニット７０の左側に操作ユニット５０を配置することができる。すなわち、本実施形態では、操作ユニット５０を画像表示装置６０よりも前側に配置することが可能であり、操作ユニット５０が配設された筐体の左側の領域を、他の領域よりも前後方向に薄くすることができる。
【００５７】
また、本実施形態では、ストロボ発光部４１の発光を制御する発光制御回路が形成された電気基板４４の直後にコンデンサユニット７０が配置されている。また、ストロボ発光部４１は、電気基板４４の直前に配置されている。このことにより、電気基板４４とコンデンサユニット７０、及び電気基板４４とストロボ発光部４１を電気的に接続する配線の長さを、図８に示す従来のデジタルカメラ１００のようにストロボ用コンデンサ１１０を右側に配設する場合に比して大幅に短くすることができる。
【００５８】
ストロボ発光部４１、発光制御回路及びコンデンサユニット７０を接続する配線は、比較的高い電圧がかかることから、デジタルカメラ１内の他の配線に比して一般的に径が大きい。本実施形態では、このような大径の配線の長さを短縮することができるため、従来に比してより筐体の小型化を図ることができる。また、ストロボ発光部４１、発光制御回路及びコンデンサユニット７０の互いの距離が近いことから、配線を半田付け等によって接続する作業も容易となる。
【００５９】
なお、本発明は、上述した実施形態に限られるものではなく、請求の範囲及び明細書全体から読み取れる発明の要旨或いは思想に反しない範囲で適宜変更可能であり、そのような変更を伴うデジタルカメラもまた本発明の技術的範囲に含まれるものである。
【産業上の利用可能性】
【００６０】
上述のように、本発明のデジタルカメラは、ズーム倍率を上げて撮像ユニットを大きくした場合であっても、筐体の幅を小型化することが可能なデジタルカメラとして利用可能である。
【符号の説明】
【００６１】
１    デジタルカメラ、
２    電源スイッチ、
３    シャッターレリーズスイッチ、
４    ズームスイッチ、
５    蓋部材、
６    レバー、
７    収容室、
１０    前側筐体、
２０    後側筐体、
３０    撮像ユニット、
３１    レンズ鏡筒、
３２    撮像レンズ、
３３    撮像素子、
３４    ズーム用モータ
４０    制御ユニット、
４１    ストロボ発光部、
４２    電池保持部、
４３    記録媒体保持部、
４４    電気基板、
５０    操作ユニット、
５１    操作部材、
５２    ダイヤルスイッチ、
５３    プッシュスイッチ、
６０    画像表示装置、
７０    コンデンサユニット、
７１    ストロボ用コンデンサ。
【図１】
2010193390.tif 000003
【図２】
2010193390.tif 000004
【図３】
2010193390.tif 000005
【図４】
2010193390.tif 000006
【図５】
2010193390.tif 000007
【図６】
2010193390.tif 000008
【図７】
2010193390.tif 000009
【図８】
2010193390.tif 000010